(57)【要約】【課題】装着が容易で短時間に装着が可能で、かつ水密性の優れ、無駄な部分を設ける必要のないドライスーツを提供することを目的とする。【解決手段】手足を覆う手部分１１および足部分１２を備えた人型形状のドライスーツ本体１と、首から頭部を覆い、前方に窓２１を備えたフード２を一体的に設けたドライスーツにおいて、ドライスーツ本体の胴部及びフードを前後に開放できるように水密ファスナー３を設けたことを特徴とするものである。【選択図】図１
2008030681.tif 000002
【特許請求の範囲】
【請求項１】
手足を覆う手部分および足部分を備えた人型形状のドライスーツ本体と、首から頭部を覆い、前方に窓を備えたフードを一体的に設けたドライスーツにおいて、ドライスーツ本体の胴部及びフードを前後に開放できるように水密ファスナーを設けたことを特徴とするドライスーツ。
【請求項２】
前記フードの前方部分の裏面に伸縮性ネットを設けたことを特徴とする請求項１記載のドライスーツ。
【請求項３】
前記伸縮性ネット下端に湾曲状の保形材を設けたことを特徴とする請求項２記載のドライスーツ。
【発明の詳細な説明】
【技術分野】
【０００１】
本発明はドライスーツ、さらに詳細には、特に緊急時に着用するドライスーツに関するものである。
【背景技術】
【０００２】
緊急時に着用するドライスーツは、従来、図５に示すように耐水耐寒性を備えた布地によって人型形状に構成されたドライスーツ本体１とこのドライスーツ本体１と一体的に形成された頭部を覆うフード２を備えている。そしてドライスーツ本体１は手足を覆うように一体的に構成された手部分１１および足部分１２が一体的に備えられており、着用者をほぼ全体的に覆い、水の侵入を防止するとともに、耐寒性を保持し、保命するようになっている。一方、フード２には目および鼻を露出するための窓２１が設けられている。
【０００３】
このようなドライスーツのドライスーツ本体１を着用するために、従来ドライスーツ本体１にフード２の窓２１から足部分１２に掛けて、水密ファスナー３が垂直に設けられており、この水密ファスナー３を開くことによって、着用可能になっている。
【０００４】
図６は、他の水密ファスナー３の取付構造を示すものであるが、この場合には肩口から腰の近辺まで斜めに水密ファスナー３が形成されている。
【特許文献１】実用新案登録第３００７４３４号公報
【発明の開示】
【発明が解決しようとする課題】
【０００５】
上述のような従来のドライスーツにおいて、前述の図５に示すような、垂直な縦型の水密ファスナー３の場合、水密ファスナー３は窓２１より足部分１２の上部に掛けて開放され、全部が開くわけではないので、多少きつくできており、着用しづらいという欠点もあった。
【０００６】
さらに上述のような縦型に水密ファスナー３が設けられたドライスーツにおいては、フード２の窓２１まで水密ファスナー３が形成されているため、前記水密ファスナー３が設けられた窓２１部分より水が入りやすいという欠点もある。
【０００７】
上述のような欠点を除去するために、図６に示すように、水密ファスナー３を肩口から腰に掛けて斜めに設けたドライスーツも知られている。この場合、水密ファスナー３が開放されたとき、左右非対称に手部分１１および足部分１２が分割されている。このため急いで着用する場合に手足を挿入する場合、前記手部分１１に足を挿入したり、前記足部分１２に手を挿入したりすることも発生し、手足をどこに挿入するかわかりづらいという欠点がある。
【０００８】
また水密ファスナー３が窓２１に到達していないので、水密性は良好である。しかしながら、着用にあたっては、頭部をこごめてフード２を被らなければならないため、フード２とドライスーツ本体１のつなぎ目部分などを大寸法に製造する必要があり、無駄な部分を必要とするという欠点がある。
【０００９】
本発明は上述の欠点を除去するためなされたものであり、装着が容易で短時間に装着可能で、かつ水密性の優れたドライスーツを提供することを目的とする。
【課題を解決するための手段】
【００１０】
上記課題を解決するため、本発明によるドライスーツは、手足を覆う手部分および足部分を備えた人型形状のドライスーツ本体と、首から頭部を覆い、前方に窓を備えたフードを一体的に設けたドライスーツにおいて、ドライスーツ本体の胴部及びフードを前後に開放できるように水密ファスナーを設けたことを特徴とする。
【発明の効果】
【００１１】
本発明のドライスーツによれば、ドライスーツ本体の胴部及びフードを前後に開放できるように水密ファスナーを設けてある。このため前記水密ファスナーが開いているときには、フードが縦方向に前後に分割されており、かつフードの前部には窓が形成されているため、ドライスーツの前後を容易に知ることが可能で、かつ前記窓を備えたフード部分を取り上げ、水密ファスナーの開放により形成される前身頃部分を持ち上げることにより、この前身頃部分に連続する足部分を容易に認識することができる。このため迅速に装着可能である。さらにフードは水密ファスナーで水密的に閉じることが可能であるため、前記フード部分より水が侵入することがないという利点もある。
【発明を実施するための最良の形態】
【００１２】
本発明によるドライスーツは、手足を覆う手部分および足部分を備えた人型形状のドライスーツ本体と、首から頭部を覆い、前方に窓を備えたフードを一体的に設けたドライスーツにおいて、ドライスーツ本体の胴部及びフードを前後に開放できるように水密ファスナーを設けたことを特徴とする。
【００１３】
本発明による好ましい形態においては、前記フードの前方部分の裏面に伸縮性ネットを設けたことを特徴とする。さらにこのような形態において、前記伸縮性ネット下端に湾曲状の保形材を設けたことを特徴とする。
【実施例】
【００１４】
図１は本発明のドライスーツの正面図、図２は前記水密ファスナー３を開いたときの正面図であるが、これらの図より明らかなように本発明によるドライスーツは、耐水耐寒性を備えた布地によって人型形状に構成されたドライスーツ本体１とこのドライスーツ本体１と一体的に形成された頭部を覆うフード２を備えている。そしてドライスーツ本体１は手足を覆うように一体的に構成された手部分１１および足部分１２が備えられており、着用者をほぼ全体的に覆い、水の侵入を防止するとともに、耐寒性を保持し、保命するようになっている。一方、フード２には目および鼻を露出するための窓２１が設けられている。
【００１５】
本発明によれば、前記ドライスーツを着用するために設けられる水密ファスナー３は、ドライスーツ本体１の一方の腰付近１３より一方のフードの側面２２より頂上部２３に掛けて伸長し、他方のフードの側面２４を通り、他方の腰付近１４まで形成されている。
【００１６】
前記フード２は、図２に示されるように縦方向に前後に分割できるようになっており、前記フード２の窓２１が備えられているフード前方部分２５には、図３に示すように伸縮性ネット２６が設けられた構造になっている。前記伸縮性ネット２６の下端部には湾曲した保形材２６１が備えられており、基本的に前記フード前方部分２５とともに頭部形状を構成するようになっている。
【００１７】
前記ドライスーツを着用するにあたっては、まず水密ファスナー３を開いた状態であると、ドライスーツ本体１の前身頃部分１５が開いた状態となる。この前身頃部分１５を手に取って足部分１２に両足を挿入する。両足を挿入した後に、フード前方部分２５に設けられた伸縮性ネット２６に頭部を挿入すると（このとき保形材２６１により伸縮性ネット２６の開口部は開いているので、容易に頭部を挿入することが可能である）、図４に側面図を示すように、ドライスーツのフード前方部分２５および前身頃部分１５が着用者の顔および胸を覆う状態で係止されることになる。このような状態で、腕を手部分１１に挿入し、水密ファスナー３を一方の腰付近１３よりフード２の一方の側面２２より頂上部２３、さらに他方のフードの側面２４、他方の腰付近１４までスライドさせて閉鎖することによって着用できる。
【００１８】
このとき、前述の前身頃部分１５は、フード前方部分２５に窓２１が備えられていることから前後方向がわかりやすく、かつ前記前身頃部分１５を持ち上げたとき、前記前身頃部分１５に接続する足部分１２が容易に認識できるため、手部分１１に足を挿入するような誤りを冒すことなく、迅速に装着可能である。さらに、前記フード２の前方部分２５の裏面に設けられた伸縮性ネット２６によって前記フード前方部分２５および前身頃部分１５を係止せしめるため、容易に腕を手部分１１に挿入することが可能となり、水密ファスナー３をスライドさせることにより容易に着用可能となる。
【産業上の利用可能性】
【００１９】
本発明のドライスーツによれば、ドライスーツ本体の胴部及びフードを前後に開放できるように水密ファスナーを設けてある。このため前記水密ファスナーが開いているときには、フードが縦方向に前後に分割されており、かつフードの前部には窓が形成されているため、ドライスーツの前後を容易に知ることが可能で、かつ前記窓を備えたフード部分を取り上げ、水密ファスナーの開放により形成される前身頃部分を持ち上げることにより、この前身頃部分に連続する足部分を容易に認識することができる。このため迅速に装着可能である。さらにフードは水密ファスナーで水密的に閉じることが可能であるため、前記フード部分より水が侵入することがないという利点もある。
【図面の簡単な説明】
【００２０】
【図１】本発明のドライスーツの一実施例の正面図。
【図２】前記実施例の水密ファスナーを開いたときの正面図。
【図３】前記実施例のフードが分割された状態の側面図。
【図４】前記実施例のドライスーツを着用するときの中途の状態を示す側面図。
【図５】従来のドライスーツの正面図。
【図６】従来のドライスーツの正面図。
【符号の説明】
【００２１】
１      ドライスーツ本体
１１      手部分
１２      足部分
１３      一方の腰付近
１４      他方の腰付近
１５      前身頃部分
２      フード
２１      窓
２２      一方のフードの側面
２３      頂上部
２４      他方のフードの側面
２５      フード前方部分
３      水密ファスナー
【図１】
2008030681.tif 000003
【図２】
2008030681.tif 000004
【図３】
2008030681.tif 000005
【図４】
2008030681.tif 000006
【図５】
2008030681.tif 000007
【図６】
2008030681.tif 000008